(57)【特許請求の範囲】
【請求項１】
任意の設定時刻に記録媒体内の記録データを自動的に再生するように上記設定時刻及び自動再生を行うデータを設定する自動再生設定手段と、
上記設定に基づいて自動再生を行う自動再生手段と、
データの再生開始を指示する指示手段と、
上記指示手段によりデータの再生開始が指示された際に、該データを再生中に上記設定時刻が到来するか否かを判別する判別手段と、
上記判別手段により、該データ再生中に上記自動再生時刻が到来する恐れがある際には警告を行う警告手段と、
を具備したことを特徴とする記録再生装置。
【請求項２】
上記自動再生手段は、上記設定時刻において記録媒体内の記録データを再生中の場合には該再生中のデータの再生を停止した後に、上記自動再生設定手段で設定されたデータの再生を行うことを特徴とする請求項１に記載の記録再生装置。
【請求項３】
任意の設定時刻に記録媒体内の記録データを自動的に再生するように上記設定時刻及び自動再生を行うデータを設定する自動再生設定手段と、
データの再生開始を指示する指示手段と、
上記指示手段によりデータの再生が指示された際に、該データを再生中に上記設定時刻が到来するか否かを判別する判別手段と、
上記指示手段によりデータの再生開始の指示があった際、上記判別手段により該データ再生中に上記自動再生時刻が到来する恐れがないと判断された場合には直ちにデータの再生を行い、上記判別手段により該データ再生中に上記自動再生時刻が到来する恐れがあると判断された場合には、その旨を示す警告を行い、該警告を行ってから所定時間以内に再び上記指示手段によりデータの再生開始が再指示されたときは該データの再生を開始する再生手段と、
を具備することを特徴とする記録再生装置。
【発明の詳細な説明】
【０００１】
【発明の属する技術分野】
本発明は記録再生装置に関するものである。
【０００２】
【従来の技術】
任意の設定時刻に記録したデータを再生する機能を備えた記録再生装置が従来より知られている。例えば特開平１１−６５６００号公報には、データの自動再生が所定時刻に設定されていて、その時刻に自動再生の対象以外のデータが再生されている場合にはその再生を停止させて自動再生の対象となっているデータの再生を開始することが開示されている。
【０００３】
【発明が解決しようとする課題】
上記した特開平１１−６５６００号公報に記載の方法では、設定した時刻に自動再生の対象外のデータが再生されている場合には強制的に当該再生を停止して自動再生の対象になっているデータを再生している。このためユーザが自動再生の起動を意識せずに対象外データを再生していた場合、中断された際にデータのどこまで再生が進んでいたのかを把握していないケースが考えられ、このような場合は確認漏れを防ぐために、自動再生の終了後に中断されたと予想される箇所よりも以前に溯って再生し直す必要があり、結果として、再生させて確認が済んでいる箇所も再度聞かなければならなくなる。
【０００４】
また、記録再生装置の中には、再生箇所の早送り／早戻し機能を持たず、データの初めからしか再生が開始出来ないものも多く、そのような装置では中断された箇所に係わらず、そのデータを一から再生しなければならず、重複して再生するデータ量も多くなり、ユーザにとって甚だ使い勝手の悪いものになる。
【０００５】
本発明はこのような課題に着目してなされたものであり、その目的とするところは、自動再生対象外データの再生中に自動再生時刻が到来する恐れがある場合には、その旨を予めユーザに警告することでユーザが所望の処置を選択できるようにした記録再生装置を提供することにある。
【０００６】
【課題を解決するための手段】
上記の目的を達成するために、第１の発明に係る記録再生装置は、任意の設定時刻に記録媒体内の記録データを自動的に再生するように上記設定時刻及び自動再生を行うデータを設定する自動再生設定手段と、上記設定に基づいて自動再生を行う自動再生手段と、データの再生開始を指示する指示手段と、上記指示手段によりデータの再生開始が指示された際に、該データを再生中に上記設定時刻が到来するか否かを判別する判別手段と、上記判別手段により、該データ再生中に上記自動再生時刻が到来する恐れがある際には警告を行う警告手段とを具備する。
【０００７】
また、第２の発明に係る記録再生装置は、第１の発明において、上記自動再生手段は、上記設定時刻において記録媒体内の記録データを再生中の場合には該再生中のデータの再生を停止した後に、上記自動再生設定手段で設定されたデータの再生を行う。
【０００８】
また、第３の発明に係る記録再生装置は、任意の設定時刻に記録媒体内の記録データを自動的に再生するように上記設定時刻及び自動再生を行うデータを設定する自動再生設定手段と、データの再生開始を指示する指示手段と、上記指示手段によりデータの再生が指示された際に、該データを再生中に上記設定時刻が到来するか否かを判別する判別手段と、  上記指示手段によりデータの再生開始の指示があった際、上記判別手段により該データ再生中に上記自動再生時刻が到来する恐れがないと判断された場合には直ちにデータの再生を行い、上記判別手段により該データ再生中に上記自動再生時刻が到来する恐れがあると判断された場合には、その旨を示す警告を行い、該警告を行ってから所定時間以内に再び上記指示手段によりデータの再生開始が再指示されたときは該データの再生を開始する再生手段と、を具備する。
【０００９】
【発明の実施の形態】
以下に図面を参照して本発明の実施形態を詳細に説明する。
【００１０】
（第１実施形態）
図１は本発明のデータ再生装置を適用したデジタルレコーダの構成を示す図である。図１において、マイク８は増幅器（ＡＭＰ）９、ローパスフィルタ（ＬＰＦ）１０、アナログデジタル変換器（Ａ／Ｄ）１１を介してデータ圧縮伸長部３の第１の端子に接続されている。また、スピーカ１５は増幅器（ＡＭＰ）１４、ローパスフィルタ（ＬＰＦ）１３、デジタルアナログ変換器（Ｄ／Ａ）１２を介してデータ圧縮伸長部３の第２の端子に接続されている。上記したマイク８、増幅器（ＡＭＰ）９、ローパスフィルタ（ＬＰＦ）１０、アナログデジタル変換器（Ａ／Ｄ）１１、スピーカ１５、増幅器（ＡＭＰ）１４、ローパスフィルタ（ＬＰＦ）１３、デジタルアナログ変換器（Ｄ／Ａ）１２は音声入出力部４を構成している。
【００１１】
また、データ圧縮伸長部３の第３の端子は、各部の制御を行なうとともに、データの書き込み、読み出し制御を行うＣＰＵ（システム制御部）１のＴ１端子に接続されている。ＣＰＵ１のＴ２端子にはフラッシュメモリ２が、Ｔ３端子には表示部材７が、Ｔ４端子には操作部材６が、Ｔ５端子には時計用クロック５が接続されている。本実施形態のＣＰＵ１は後述するように、自動再生対象外データの再生開始が指示された際に、該データを再生中に自動再生の設定時刻が到来するか否かを判別する判別手段としての機能と、該データの再生中に自動再生時刻が到来する恐れがある際には警告を行う警告手段としての機能を備えている。
【００１２】
また、操作部材６としては、録音、再生、停止、早送り、早戻し、メニューなどの各種のモードを設定するためのボタンが設けられている。また、表示部材７はＬＣＤなどにより構成され、各種のモードを表示する。また、フラッシュメモリ２は内蔵されていてもよく、着脱自在なメモリであってもよい。また、時計用クロック５は、ＣＰＵ１がこれに基づいて自動再生時刻を検出したりするための計時を行うのに用いられる。
【００１３】
なお、任意の設定時刻に所定のデータの再生を自動的に行う自動再生の設定は、自動再生設定手段としての操作部材６により自動再生の対象となるデータを選択した後、メニューモードに入ってからのアラームの設定モードにおいて、ユーザが操作部材６により自動再生の時刻を入力することにより行なわれる。
【００１４】
上記した構成において、録音時、マイク８を介して入力された音声は増幅器９で増幅され、ＬＰＦ１０でその高周波成分が除去された後、アナログデジタル変換器１１でデジタル信号に変換され、データ圧縮伸長部３に入力される。データ圧縮伸長部３は入力されたデジタル信号に対して圧縮処理を行う。圧縮された音声データはＣＰＵ１の制御のもとにフラッシュメモリ２に書き込まれる。
【００１５】
また、再生時においては、ＣＰＵ１の制御のもとにフラッシュメモリ２に記憶されている音声データが読み出されてデータ圧縮伸長部３に送られる。データ圧縮伸長部３は入力された音声データに伸長処理を行う。伸長された音声データはデジタルアナログ変換器１２でアナログ信号に変換され、ＬＰＦ１３でその高周波信号が除去された後、増幅器１４で増幅されてスピーカ１５を介して外部へ出力される。
図２はデジタルレコーダの全体動作を説明するためのフローチャートである。電池が装填されると本フローが開始され、ステップＳ１で初期設定を行う。ここでは、ＣＰＵ１内部のＲＡＭをクリアしたり各種の設定値を初期値にする。次のステップＳ２で録音ボタンが押されたことにより録音スイッチがＯＮ状態になっているかどうかを判断し、ＹＥＳの場合にはステップＳ３に進んで録音処理を行ない、その後ステップＳ４に進む。また、ステップＳ２の判断がＮＯの場合にはただちにステップＳ４に進む。ステップＳ４では再生ボタンが押されたことにより再生スイッチがＯＮ状態になっているかどうかを判断し、ＹＥＳの場合にはステップＳ５に進んで再生処理を行い、その後ステップＳ６に進む。また、ステップＳ４の判断がＮＯの場合にはただちにステップＳ６に進む。ステップＳ６では停止ボタンが押されたことにより停止スイッチがＯＮ状態になっているかどうかを判断し、ＹＥＳの場合にはステップＳ７に進んで停止処理を行い、その後ステップＳ８に進む。また、ステップＳ６の判断がＮＯの場合にはただちにステップＳ８に進む。
【００１６】
ステップＳ８では自動再生の設定があるかどうかを判断し、ＮＯの場合にはステップＳ２に戻り、ＹＥＳの場合にはステップＳ９に進んで予め設定した自動再生の時刻が到来したかどうかを判断する。この判断がＮＯの場合にはステップＳ２に戻り、ＹＥＳの場合にはステップＳ１０に進んで自動再生を行ない、その後ステップＳ２に戻る。
【００１７】
図３は上記自動再生の手順を説明するためのフローチャートである。まずステップＳ２０で自動再生の対象となっているデータを次の再生対象としてセットし、次のステップＳ２１で再生動作に入る。
【００１８】
図４は上記再生動作の詳細を説明するためのフローチャートである。まずステップＳ３１で再生データが自動再生の対象かどうかを判断し、ＹＥＳの場合にはステップＳ３５に移行して再生開始の処理を行う。また、ステップＳ３１の判断がＮＯの場合にはステップＳ３２に進んで再生データの総再生時間の算出を行う。次にこの総再生時間に基づいて、当該再生データの再生中に自動再生時刻が到来するかどうかを判断し（ステップＳ３３）、ＮＯの場合にはステップＳ３５に進んで再生開始の処理を行ない、ＹＥＳの場合にはステップＳ３４に進んで警告表示を行う。ここでの警告表示は例えば、スピーカ１５から警告音を出力したり、表示部材７で例えば文字からなる特定のアラームマークを点滅表示させたり、ＬＥＤを点滅表示させたりすることを含む。
【００１９】
ステップＳ３５で再生開始の処理を行った後、再生中に予め設定した自動再生時刻が到来したかどうかを判断し（ステップＳ３６）、ＹＥＳの場合には当該再生を終了して（ステップＳ３９）、自動再生を実行する（ステップＳ４０）。また、ステップＳ３６の判断がＮＯの場合にはステップＳ３７に進んでデータエンドかどうかを判断し、ＹＥＳの場合には再生終了の処理を行って（ステップＳ４１）、リターンする。また、ステップＳ３７の判断がＮＯの場合にはステップＳ３８に進んで停止ボタンが押されて停止ＳＷがＯＮになっているかどうかを判断し、ＮＯの場合にはステップＳ３６に戻り、ＹＥＳの場合にはステップＳ４１に進んで再生終了の処理を行ってリターンする。
【００２０】
（第２実施形態）
以下に本発明の第２実施形態を説明する。本実施形態の構成は基本的に第１実施形態の構成と同様である。図５及び図６は第２実施形態の動作を説明するためのフローチャートである。
【００２１】
第１実施形態では図３に示すようにステップＳ２０で自動再生の対象となっているデータを次の再生対象としてセットした後、自動的に自動再生モードに入ってしまうのでユーザが混乱してしまう恐れがある。そこで第２実施形態では図５に示すように、ステップＳ２０−１を追加して自動再生が開始されたことを表示するようにしている。あるいはアラーム音によりユーザに告知するようにしてもよい。
【００２２】
また、第１実施形態では再生中のデータと自動再生データとが等しい場合には、自動再生時刻になるとその時点で一旦再生が停止されてまた同じデータが再生されることになり無駄が生じてしまう。そこで第２実施形態では図６のフローチャートにステップＳ３６−１を追加して再生中のデータが自動再生の対象かどうかを判断し、自動再生の対象でない場合にのみ自動再生のステップに入るようにしている。また、ステップＳ３６−１で再生中のデータが自動再生の対象と同一である場合にはステップＳ３７に進んで再生中のデータの再生を継続して行う。
【００２３】
（第３実施形態）
以下に本発明の第３実施形態を説明する。本実施形態の構成は基本的に第１実施形態の構成と同様である。
【００２４】
図７は第３実施形態の動作を説明するためのフローチャートであり、図６のフローチャートとは以下の点が異なっている。すなわち、ステップＳ３３で再生中に自動再生時刻が到来したかどうかを判断し、ＹＥＳの場合にはステップＳ３４に進んでタイマｔをスタートさせた後、次のステップＳ３４−１で警告表示を行う。次に、ステップＳ３４−２においてタイマｔの計時が２秒以内かどうかを判断し、次のステップＳ３４−３で再生スイッチがＯＮになっているかどうかを判断する。そしてこれら両方の条件が満たされた場合にのみ再生開始のステップＳ３５を実行する。
【００２５】
すなわち、第３実施形態では、警告表示を行ってから２秒以内に再度再生ボタンが押されない限り再生が開始されないようになっている。
【００２６】
また、ここでは警告表示を行ってから再度再生ボタンが押されるまでの時間で、再生を開始するかどうかを決めていたが、これを最初に再生ボタンが押されてから再度再生ボタンが押されるまでの時間としてもよい。
【００２７】
上記した第１〜第３実施形態によれば、自動再生対象外データの再生中に自動再生時刻が到来する恐れがある場合にはその旨を予めユーザに警告するようにしたので、ユーザはこの警告に応答して自動再生対象外データの再生を中止したり、設定時刻にそのまま自動再生を行わせるなどの所望の処置を選択することができる。
【００２８】
なお、上記した具体的実施形態から以下のような構成の発明が抽出される。
【００２９】
１．任意の設定時刻に記録媒体内の記録データを自動的に再生するように上記設定時刻及び自動再生を行うデータを設定する自動再生設定手段と、
上記設定に基づいて自動再生を行う自動再生手段と、
データの再生開始を指示する指示手段と、
上記指示手段によりデータの再生が指示された際に、該データを再生中に上記設定時刻が到来するか否かを判別する判別手段と、
上記判別手段により、該データ再生中に上記自動再生時刻が到来する恐れがある際には警告を行う警告手段と、
を具備したことを特徴とする記録再生装置。
【００３０】
２．  上記自動再生手段は、上記再生中のデータが上記自動再生設定手段で設定されたデータと同じ場合には、上記設定時刻となった場合でも再生中のデータの再生を継続して行うことを特徴とする１．に記載の記録再生装置。
【００３１】
【発明の効果】
本発明によれば、自動再生対象外データの再生中に自動再生時刻が到来する恐れがある場合にその旨を予めユーザに警告するようにしたので、ユーザはこの警告に応答して所望の処置を選択することができる。
【図面の簡単な説明】
【図１】本発明のデータ再生装置を適用したデジタルレコーダの構成を示す図である。
【図２】デジタルレコーダの全体動作を説明するためのフローチャートである。
【図３】本発明の第１実施形態に係る自動再生の手順を説明するためのフローチャートである。
【図４】本発明の第１実施形態に係る再生動作の詳細を説明するためのフローチャートである。
【図５】本発明の第２実施形態に係る自動再生の手順を説明するためのフローチャートである。
【図６】本発明の第２実施形態に係る再生動作の詳細を説明するためのフローチャートである。
【図７】本発明の第３実施形態に係る再生動作の詳細を説明するためのフローチャートである。
【符号の説明】
１…ＣＰＵ（システム制御部）、
２…フラッシュメモリ、
３…データ圧縮伸長部、
４…音声信号入出力部、
５…時計用クロック、
６…操作部材、
７…表示部材、
８…マイク、
９…増幅器、
１０…ＬＰＦ、
１１…アナログデジタル変換器、
１２…デジタルアナログ変換器、
１４…ＬＰＦ、
１５…スピーカ。
【図１】
0004388166.tif 000002
【図２】
0004388166.tif 000003
【図３】
0004388166.tif 000004
【図４】
0004388166.tif 000005
【図５】
0004388166.tif 000006
【図６】
0004388166.tif 000007
【図７】
0004388166.tif 000008